(57)【要約】【課題】貯湯式電気温水器に関し、経済性、施工性、耐久性及び湯温、湯量の安定性及び給湯の安定供給、そして経済性の向上を求める貯湯式電気温水器を提供することを目的する。【解決手段】従来型の貯湯式電気温水器の熱源は、型形成されたパイプ形状のシーズヒーターを貯湯槽缶体内部に配置敷設する方式が採用されている。これらの熱源に変わり、ＩＨヒーター加熱器機能を搭載した熱源に変えることによって、沸き上がり時間が短縮されるとともに、湯温、湯量の安定、給湯の安定供給、そして経済面での向上が特に期待される。【選択図】図１
2016042019.tif 000002
【特許請求の範囲】
【請求項１】
金属性貯湯槽缶体下部先端の球状面に、金属性貯湯槽缶体と同質同素材の金属鋼材を用い型形成加工により電磁誘導平面磁性体を型形成し、熱源となるＩＨヒーター加熱器の型式、型形状に適した電磁誘導平面磁性体を金属性貯湯槽缶体下部先端の球状面に水平に成るよう適切に配置敷設する構造、工法からなる、ＩＨヒーター加熱工法貯湯式電気温水器。
【請求項２】
配置敷設する電磁誘導平面磁性体と、金属性貯湯槽缶体の接合部は、接合部及び接触面に隙間が生じることがなく金属性貯湯槽缶体と電磁誘導平面磁性体が密接密着するよう適切な配置敷設からなる、請求項１のＩＨヒーター加熱工法貯湯式電気温水器。
【発明の詳細な説明】
【技術分野】
【０００１】  本発明は、従来型の貯湯式電気温水器の熱源方式を変えることによって、沸き上がり時間が短縮されるとともに、湯温、湯量の安定および給湯の安定供給が保たれ、さらに経済性の向上に関る。
【背景技術】
【０００２】  従来型の金属性貯湯式電気温水器の熱源は、型形成されたパイプ形状のシーズヒーターを貯湯槽缶体内部に配置敷設し、貯湯槽内部の水を直接沸かす方式が主流であった。【０００３】  また、従来型の金属性貯湯式電気温水器の熱源には、ＩＨヒーター加熱器機能が搭載された電気温水器の存在が確認されなかった。
【発明の開示】
【発明が解決しようとする課題】
【０００４】  上記述べた従来型の熱源方式では、配置敷設されたシーズヒーターの電気抵抗により発生する熱によって水を沸かすため、沸き上がりまでに多くの時間を要した。【０００５】  また、従来型のシーズヒーター熱源方式では、ヒーターの熱源に必要な電力容量を多く必要とするため、沸き上がりまでに多くの時間を要するとともに消費する電力が多量に必要となるため、経済的にも負担が大きかった。
【課題を解決するための手段】
【０００６】  本発明は、従来型のシーズヒーター熱源方式からＩＨヒーター加熱機能が搭載された熱源方式に変えることによって、上記述べた問題を解決することを目的とするものである。【０００７】  金属性貯湯槽缶体下部先端の球状面に、金属性貯湯槽缶体と同質同素材の金属鋼材を型形成加工によって電磁誘導平面磁性体を形成し、金属性貯湯槽缶体下部先端の球状面に金属性貯湯槽缶体と水平になるよう配置敷設する。【０００８】  配置敷設する電磁誘導用平面磁性体と、金属性貯湯槽缶体下部先端の球状面の接合部は、接合部及び接触面に隙間が生じることが無く密接し、金属性貯湯槽缶体と電磁誘導平面磁性体が密接密着するように配置敷設する。【０００９】  金属性貯湯槽缶体下部先端の球状面に配置敷設された電磁誘導平面磁性体に、ＩＨヒーター加熱器機能が搭載された熱源発生装置を、電磁誘導平面磁性体に密接密着するよう適切に配置敷設する。【００１０】  配置敷設されたＩＨヒーター加熱器機能が搭載された熱源発生装置の電源部と制御部は金属性貯湯槽缶体側面の適切な位置に配置される。
【発明の効果】
【００１１】  上記述べたとおり本発明は、貯湯式電気温水器の熱源方式を従来型のパイプ形状のシーズヒーター方式から  ＩＨヒーター加熱機能が搭載された熱源方式にすることによって、湧き上がり時間が大幅に短縮される。【００１２】  ＩＨヒーター加熱機能方式は、金属性貯湯槽缶体下部の電磁誘導平面磁性体が直接加熱されるため熱効率が高くなり、ＩＨヒーター加熱器機能が搭載されたことによって沸き上がり時間が短縮されることにより電力消費量が削減されるため、経済的にも効果が上がり需要者の経済的負担が軽減される。【００１３】  また、ＩＨヒーター加熱機能方式は、出力制御の幅が広く得られるため加熱温度管理制御が幅広く容易に行えるため給湯設備以外にも、温水循環設備を設けることによって温水暖房としても活用が期待できる。
【発明を実施するための最良の形態】
【００１４】  図１において、金属性貯湯槽缶体１０下部先端の球状面に金属性貯湯槽缶体と同質同素材の金属鋼材を型形成加工によって、形成された電磁誘導平面磁性体５を金属性貯湯槽缶体１０下部先端の球状面に、水平に成るよう配置し密接密着するよう適切に敷設される。【００１５】  金属性貯湯槽缶体１０下部先端の球状面に配置敷設された電磁誘導平面磁性体５に、（図２に示す）下部方向からＩＨヒーター加熱器１の耐熱トッププレート４が、電磁誘導平面磁性体５に、密接密着するよう配置し適切に据付け支持固定され敷設される。【００１６】  図１において、配置敷設されたＩＨヒーター加熱器１に、外部入力電源９が供給されると制御回路装置８によってインバーター制御装置７をコントロールして、高周波電流に変換しＩＨコイル２に送ると、ＩＨコイル２を取り巻くように磁力線３が発生する。【００１７】  ＩＨコイル２から発生した磁力線３によって、金属性貯湯槽缶体と同質同素材の金属鋼材で型形成され、金属性貯湯槽缶体１０下部先端の球状面に配置敷設された、電磁誘導平面磁性体５にうず電流６が誘起され電磁誘導現象が発生する。【００１８】  発生した電磁誘導現象によって、電磁誘導平面磁性体５にジュール熱が発生するため金属鋼材で形成された電磁誘導平面磁性体５が誘導加熱される。【００１９】  ＩＨヒーター加熱器１の耐熱トッププレート４は、従来採用されている耐熱強化ガラスを搭載するため磁性体ではない耐熱トッププレート４は加熱されず、金属性鋼材で形成され金属性貯湯槽缶体１０下部先端の球状面に配置敷設された電磁誘導平面磁性体５だけが誘導加熱される。【００２０】  本発明は、金属性貯湯槽缶体１０下部先端の球状面に配置敷設された電磁誘導平面磁性体５が直接加熱されるため、熱効率が高くなり常温水から沸き上がりまでに要する時間が短縮される。【００２１】  また、ＩＨヒーター加熱器１が搭載された貯湯式電気温水器は、上記述べた工法、機能、現象，等の作用効果により熱効率が高くなるため、沸き上がり時間が短縮され、消費する電力も軽減できる機能、構造を備えたＩＨヒーター加熱工法貯湯式電気温水器である。【００２２】  ＩＨヒーター加熱器１は制御回路装置８によって出力制御の制御領域が幅広く調整コントロールできるため、貯湯槽缶体内の湯温、湯量の管理が幅広く設定することが可能であり容易に湯温、湯量をコントロール制御ができるため給湯の安定供給が保たれる。
【図面の簡単な説明】
【００２３】
【図１】  電気温水器の本体の構成を示す構成図
【図２】  電気温水器とＩＨヒーター加熱器の配置方式を示す配置図
【図３】  電気温水器の沸き上げ手段の動作系統を示した動作系統図
【図４】  電気温水器の沸き上げ手段を示した配置構成図
【符号の説明】
【００２４】  １    ＩＨヒーター加熱器
２    ＩＨコイル
３    磁力線
４    耐熱トッププレート
５    電磁誘導平面磁性体
６    うず電流
７    インバーター制御装置
８    制御回路装置
９    外部入力電源
１０  金属性貯湯槽缶体
１１  温度センサー
１２  給水口
１３  出湯口
【図１】
2016042019.tif 000003
【図２】
2016042019.tif 000004
【図３】
2016042019.tif 000005
【図４】
2016042019.tif 000006
【手続補正書】
【提出日】平成27年10月13日(2015.10.13)
【手続補正１】
【補正対象書類名】図面
【補正対象項目名】図３
【補正方法】変更
【補正の内容】
【図３】
2016042019.tif 000007